(57)【特許請求の範囲】
【請求項１】
発光素子の点灯光を原稿に照射する光源部と、前記点灯光のＲＧＢ３色の各色成分に対応付けられた３種類のラインセンサを備え、予め定められた前記原稿の１ライン分の読取周期であるライン周期に従って、前記点灯光が照射された際に前記原稿から反射される反射光を前記ラインセンサで受光し、当該受光した反射光に基づいて、前記原稿における当該ラインセンサに対応する色成分の１ライン分の画像データを生成する受光部と、を備えた画像読取部と、
前記原稿の副走査方向に前記画像読取部を相対的に移動させながら前記発光素子を点灯させ、前記画像データを前記受光部に生成させる原稿読取処理を行う読取制御部と、
前記原稿における前記各ラインセンサに対応する色成分の１ライン分の画像データを合成して、前記原稿における１ライン分の画像データを生成する画像データ合成部と、
前記原稿読取処理における前記画像読取部の移動速度を、予め定められた基準移動速度よりも高速な予め定められた高速移動速度に切り替える指示を受け付ける速度受付部と、
を備え、
前記ラインセンサは、前記ライン周期に前記基準移動速度を乗算した結果である基準ライン距離分の副走査方向幅を有し、それぞれ副走査方向に隣接して並列に配置され、
前記読取制御部は、前記速度受付部によって前記高速移動速度に切り替える指示が受け付けられると、前記速度受付部で受け付けられた前記高速移動速度を前記基準移動速度で除算した結果である移動速度比で前記ライン周期を除算して、当該除算した結果を高速読取時点灯周期として定め、前記原稿読取処理において、前記ライン周期から前記高速読取時点灯周期を減算した期間が前記ライン周期における開始時点から経過した時点を点灯開始時点として、前記発光素子を前記点灯開始時点から前記高速読取点灯周期の間、前記点灯光の強度を前記移動速度比の分だけ乗算した強度に変更して点灯させ、
画像データ合成部は、前記速度受付部によって前記高速移動速度に切り替える指示が受け付けられると、前記原稿読取処理において、前記移動速度比が１以上であって３未満の場合には、副走査方向の先頭及び２番目に配置された前記ラインセンサで生成された２色の前記画像データを１ライン分遅延させて、副走査方向の３番目に配置された前記ラインセンサで生成された１ライン分の画像データと合成し、前記移動速度比が３以上の場合には、前記３種類の前記ラインセンサで生成された３色の１ライン分の画像データを何れも遅延させることなく合成する画像読取装置。
【請求項２】
請求項１に記載の画像読取装置と、
前記画像読取装置で生成される画像データに基づいて動作を行う動作部と、
を備えた画像形成装置。
【発明の詳細な説明】
【技術分野】
【０００１】
本発明は、原稿の読取処理における原稿に照射する点灯光の点灯周期を調整する技術に関する。
【背景技術】
【０００２】
従来から、スキャナ等の画像読取装置は、原稿を載置するためのコンタクトガラス、ＲＧＢ各色の点灯光を発生する３種類のＬＥＤ（Light Emitting Diode）や、ＲＧＢ各色の色成分を含む白色光を発生させる白色ＬＥＤを備えた光源、原稿の反射光を光電変換して結像するＣＣＤ等を備えて構成されている。
【０００３】
画像読取装置は、コンタクトガラスに載置され原稿の読み取り指示が受け付けられると、光源によりコンタクトガラス上に載置された原稿を照射し、原稿の主走査方向１ライン分の反射光をＣＣＤで光電変換して結像することで、原稿の主走査方向１ライン分の読み取りを終了すると、原稿に対する副走査方向に光源及びＣＣＤを移動させ、副走査方向に隣接する次のラインの読み取りを行う。一方、原稿を自動的に副走査方向に搬送することによって、主走査方向１ライン分ずつ原稿を読み取る画像読取装置も存在する。
【０００４】
ここで、ＣＣＤは、例えばＲＧＢ３色の各色成分に対応付けられた３種類のラインセンサを副走査方向に並列して構成され、原稿の主走査方向１ライン分の読取周期であるライン周期に従って、原稿から反射される反射光を各ラインセンサで受光し、当該受光した反射光に基づいて各ラインセンサに対応する色成分の画像データを生成し、当該生成された各色成分の画像データを合成することで原稿の１ライン分の画像データを生成する。
【０００５】
ただし、各色成分の画像データを合成する場合、各ラインセンサは副走査方向に並列に配置されているため、各ラインセンサで生成される各色成分の画像データが原稿の同一ラインで反射された反射光を受光して生成された画像データとなるように、各ラインセンサで画像データを生成するタイミングのずれを調整しながら合成する必要がある。
【０００６】
例えば、下記特許文献１では、副走査方向にずらして配置されたＲＧＢ３色の各色成分に対応付けられた３種類のラインセンサと、各ラインセンサに対応付けて配設されたＲＧＢ３色の各色の点灯光を発生する３種類のＬＥＤと、を備え、各ラインセンサが相対的に副走査方向に略整数ライン分ずれた位置で画像の読み取りを開始するように、各ラインセンサの蓄積期間（ライン周期）に対する各ＬＥＤの点灯タイミングを制御する画像読取装置が提案されている。
【０００７】
また、ライン周期を変動させることなく、光源及びＣＣＤを原稿の副走査方向に相対的に移動させる際の移動速度を調整して、生成される画像データの画質を調整する画像読取装置も存在する。
【先行技術文献】
【特許文献】
【０００８】
【特許文献１】特開２００５−３２２９９０号公報
【発明の概要】
【発明が解決しようとする課題】
【０００９】
しかしながら、ライン周期を変動させることなく、光源及びＣＣＤを原稿の副走査方向に相対的に移動させる際の移動速度を調整して、生成される画像データの画質を調整する画像読取装置に対して上記特許文献１に記載の技術を適用すると、以下に示す問題を生じることがあった。
【００１０】
例えば、高画質で読み取ることよりも高速に原稿を読み取ることが優先される場合等、光源及びＣＣＤを高速に移動させる指示が当該画像読取装置になされた場合に、ライン周期内に原稿の副走査方向に相対的に移動する距離が移動速度の調整前に比して長くなり、つまり、ライン周期内に光源部から光が照射される原稿における副走査方向の距離（副走査方向幅）が増大し、当該増大した副走査方向幅分からの反射光が各ラインセンサに入射され、当該増大した副走査方向幅で平均化された１ライン分の画像データが生成されることによって、移動速度の調整前に比して、生成された１ライン分の画像データの画質が劣化する傾向にあった。
【００１１】
また、当該画像読取装置におけるライン周期が短期間に設定されている場合には、各ラインセンサで生成される画像データに対応する原稿における読取位置のずれを解消するために、当該短期間のライン周期内に各ＬＥＤの点灯タイミングを制御するための高度な機構を設ける必要があった。
【００１２】
そこで、本発明は、このような事情に鑑みてなされたものであり、所定のライン周期を変動させることなく、光源部及び受光部を原稿の副走査方向に相対的に移動させる際の移動速度を調整して、受光部で生成される画像データの画質を調整する画像読取装置に対して、受光部で生成される各色成分の画像データの画質の劣化を軽減しつつ、当該各色成分の画像データに対応する原稿における読取位置のずれを容易に解消することができる画像読取装置及び画像形成装置を提供することを目的とする。
【課題を解決するための手段】
【００１３】
請求項１に記載の発明は、発光素子の点灯光を原稿に照射する光源部と、前記点灯光のＲＧＢ３色の各色成分に対応付けられた３種類のラインセンサを備え、予め定められた前記原稿の１ライン分の読取周期であるライン周期に従って、前記点灯光が照射された際に前記原稿から反射される反射光を前記ラインセンサで受光し、当該受光した反射光に基づいて、前記原稿における当該ラインセンサに対応する色成分の１ライン分の画像データを生成する受光部と、を備えた画像読取部と、
前記原稿の副走査方向に前記画像読取部を相対的に移動させながら前記発光素子を点灯させ、前記画像データを前記受光部に生成させる原稿読取処理を行う読取制御部と、
前記原稿における前記各ラインセンサに対応する色成分の１ライン分の画像データを合成して、前記原稿における１ライン分の画像データを生成する画像データ合成部と、
前記原稿読取処理における前記画像読取部の移動速度を、予め定められた基準移動速度よりも高速な予め定められた高速移動速度に切り替える指示を受け付ける速度受付部と、
を備え、
前記ラインセンサは、前記ライン周期に前記基準移動速度を乗算した結果である基準ライン距離分の副走査方向幅を有し、それぞれ副走査方向に隣接して並列に配置され、
前記読取制御部は、前記速度受付部によって前記高速移動速度に切り替える指示が受け付けられると、前記速度受付部で受け付けられた前記高速移動速度を前記基準移動速度で除算した結果である移動速度比で前記ライン周期を除算して、当該除算した結果を高速読取時点灯周期として定め、前記原稿読取処理において、前記ライン周期から前記高速読取時点灯周期を減算した期間が前記ライン周期における開始時点から経過した時点を点灯開始時点として、前記発光素子を前記点灯開始時点から前記高速読取点灯周期の間、前記点灯光の強度を前記移動速度比の分だけ乗算した強度に変更して点灯させ、
画像データ合成部は、前記速度受付部によって前記高速移動速度に切り替える指示が受け付けられると、前記原稿読取処理において、前記移動速度比が１以上であって３未満の場合には、副走査方向の先頭及び２番目に配置された前記ラインセンサで生成された２色の前記画像データを１ライン分遅延させて、副走査方向の３番目に配置された前記ラインセンサで生成された１ライン分の画像データと合成し、前記移動速度比が３以上の場合には、前記３種類の前記ラインセンサで生成された３色の１ライン分の画像データを何れも遅延させることなく合成する画像読取装置である。
【００１４】
この発明では、速度受付部により、原稿読取処理における画像読取部の移動速度を高速移動速度に切り替える指示が受け付けられると、読取制御部による原稿読取処理において、ライン周期から高速読取時点灯周期を減算した期間がライン周期における開始時点から経過した時点を点灯開始時点として、発光素子が当該点灯開始時点から高速読取点灯周期の間、点灯光の強度が移動速度比の分だけ乗算した強度に変更されて点灯される。
【００１５】
したがって、ライン周期を変動させることなく、画像読取部を原稿の副走査方向に相対的に移動させる際の移動速度を高速移動速度に調整する場合、光源部がライン周期内に原稿の副走査方向に相対的に移動する距離は移動速度比に応じて増大するが、発光素子の点灯期間が移動速度比に応じた高速読取時点灯周期が示す期間に短縮されるとともに、各ラインセンサにおける反射光の受光時間と当該反射光の強度の積で示される受光量が移動速度の調整前に比して大きく軽減されることが回避される。
【００１６】
つまり、ライン周期内に光源部から光が照射される原稿における副走査方向の距離（副走査方向幅）が移動速度の調整前に比して等しく維持され、当該副走査方向幅から反射される反射光の受光量が移動速度の調整前に比して大きく軽減されることが回避されるため、当該副走査方向幅分からの反射光が各ラインセンサに入射されて生成される１ライン分の画像データが、移動速度の調整前に比して、画質が劣化することを回避することができる。
【００１７】
また、画像データ合成部により、移動速度比が１以上であって３未満の場合には、副走査方向の先頭及び２番目に配置されたラインセンサで生成された２色の画像データを１ライン分遅延させて、副走査方向の３番目に配置されたラインセンサで生成された１ライン分の画像データと合成し、移動速度比が３以上の場合には、３種類のラインセンサで生成された３色の１ライン分の画像データを何れも遅延させることなく合成される。
【００１８】
このため、当該画像読取装置におけるライン周期が短期間に設定されている場合であっても、例えば、各ラインセンサに対応する色成分の点灯光を発生させる発光素子の点灯期間を各ラインセンサ間の副走査方向のずれ幅に応じて調整する等の高度な制御を行うことなく、各ラインセンサで生成される画像データに対応する原稿における読取位置のずれを解消することができる。
【００１９】
また、請求項２に記載の発明は、請求項１に記載の画像読取装置と、
前記画像読取装置で生成される画像データに基づいて動作を行う動作部と、
を備えた画像形成装置である。
【００２０】
この発明では、画像形成装置において、請求項１に記載の発明における効果を奏することができる。
【発明の効果】
【００２１】
本発明によれば、所定のライン周期を変動させることなく、光源部及び受光部を原稿の副走査方向に相対的に移動させる際の移動速度を調整して、受光部で生成される画像データの画質を調整する画像読取装置に対して、受光部で生成される各色成分の画像データの画質の劣化を軽減しつつ、当該各色成分の画像データに対応する原稿における読取位置のずれを容易に解消することができる画像読取装置及び画像形成装置を提供することが可能になる。
【図面の簡単な説明】
【００２２】
【図１】本発明に係る画像形成装置の一例としての複写機の概略構成図
【図２】原稿及び受光部の構成の一例を示す説明図
【図３】ライン周期に従って各ラインセンサで生成される画像データの一例を示す説明図
【図４】複合機の電気的な構成を示すブロック図
【図５】発光素子の点灯周期と受光部で生成される画像データの関係の一例を示す説明図
【図６】原稿読取処理の一例を示すフローチャート
【発明を実施するための形態】
【００２３】
以下、本発明に係る画像形成装置の一例としての複写機について図面を参照しながら説明する。図１は、当該複写機の概略構成図である。
【００２４】
図１に示すように、複写機１は、Ｃ（シアン）、Ｍ（マゼンタ）、Ｙ（イエロー）及びＫ（黒）の各色別に画像形成部２Ｍ、２Ｃ、２Ｙ、２Ｋ（これらを総称して画像形成部２と示す）が本体内に並設されている。
【００２５】
画像形成部２は、用紙に対するカラー画像の形成（印刷）を行うものであり、画像形成部２Ｍ、２Ｃ、２Ｙ及び２Ｋは、それぞれ、例えばアモルファスシリコンからなる感光体ドラム３、この感光体ドラム３の周囲に配設された帯電部４、露光部５、現像部６及び感光体クリーニング部７を備えている。
【００２６】
帯電部４は、感光体ドラム３の表面全体を均一に所定電位に帯電させるものである。露光部５は、後述の画像データ記憶部４０（図４参照）等から送信されてきた画像データに基づき生成されたレーザービームを感光体ドラム３の表面に照射し、該感光体ドラム３の表面上に静電潜像を形成するものである。
【００２７】
現像部６は、感光体ドラム３に形成された静電潜像に対してトナー供給部６１から供給されるトナーを付着させることで、トナー像として静電潜像を顕在化させるものである。
【００２８】
感光体クリーニング部７は、後述する中間ベルト１０へのトナー画像の一次転写終了後、中間ベルト１０に転写されずに感光体ドラム３の表面に残ったトナーを除去するものである。
【００２９】
画像形成部２Ｍ〜２Ｋの下方には、感光体ドラム３の表面に顕在化したトナー像の一次転写を行うための一次転写ローラ９及び中間ベルト１０が配設されている。中間ベルト１０は、所定のベルト体からなり、各感光体ドラム３と対向配置された一次転写ローラ９によって感光体ドラム３に押圧された状態で、駆動ローラ１１〜１３によって無端回転するように構成されている。
【００３０】
感光体ドラム３上に形成される各色のトナー像は、無端回転される中間ベルト１０上に、それぞれタイミングを合わせて、シアン、マゼンタ、イエロー及びブラックの順に転写されて重ね合わされる。これにより中間ベルト１０上にＣ、Ｍ、Ｙ、Ｋの４色からなるカラー画像が形成される。
【００３１】
駆動ローラ１３と対向する位置には、中間ベルト１０を介して２次転写ローラ１４が設けられている。２次転写ローラ１４は、後述の制御部３３（図４参照）からの転写バイア
スによって中間ベルト１０上のカラー画像を用紙へ転写するものである。
【００３２】
また、複写機１は、画像形成部２Ｃ，２Ｍ，２Ｙ，２Ｋへ向けて給紙を行う給紙部１５を備えている。給紙部１５は、各サイズの用紙を収納する給紙カセット１５１、用紙が搬送される経路である搬送路１５２、及び、搬送路１５２中の用紙の搬送を行う搬送ローラ１５３等を備え、給紙カセット１５１から１枚ずつ取り出された用紙を画像形成部２Ｃ，２Ｍ，２Ｙ，２Ｋ、すなわち２次転写ローラ１４の位置へ向けて搬送する。尚、給紙部１５は、２次転写処理された用紙を定着部１６へ搬送し、この定着処理された用紙を複写機本体上部の用紙排出トレイ１７へ排出する。
【００３３】
搬送路１５２における２次転写ローラ１４より下流側の適所には、定着部１６が設けられている。定着部１６は、用紙に転写されたトナー像を定着させるものである。定着部１６は、ヒートローラ１６１及び圧ローラ１６２からなり、ヒートローラ１６１の熱によって用紙上のトナーを溶かし、圧ローラ１６２によって圧力をかけてトナーを用紙上に定着させる。
【００３４】
また、複写機１は、除電クリーニング１８を備えている。除電クリーニング１８は、中間ベルト１０上の残留トナーを除去するものである。除電クリーニング１８は、図略のクリーニング電極及びクリーニングブラシからなり、クリーニング電極によってトナーの帯電電荷と逆極性のクリーニングバイアスをクリーニングブラシに印加し、これによる静電気力によって中間ベルト１０上のトナーをクリーニングブラシに移動させることでトナー除去を行う。
【００３５】
複写機本体の上部には、原稿給送部２４と原稿読取部２０とが設けられている。
【００３６】
原稿給送部２４は、原稿を載置するための原稿載置部２５と、画像読み取り済みの原稿を排出するための原稿排出部２６と、原稿載置部２５に載置された原稿を１枚ずつ繰り出して原稿読取スリット２３に対向する位置へ搬送し、原稿排出部２６へ排出するための給紙ローラや搬送ローラ（図示せず）等からなる原稿搬送機構２７を備える。
【００３７】
原稿搬送機構２７は、さらに原稿を表裏反転させて原稿読取スリット２３と対向する位置へ再搬送する用紙反転機構（図示せず）を備え、原稿の両面の画像を、原稿読取スリット２３を介してスキャナ部２１から読取可能にしている。
【００３８】
また、原稿給送部２４は、その前面側が上方に移動可能となるように本体部２に対して回動自在に設けられている。原稿給送部２４の前面側を上方に移動させて原稿台２２の上面を開放することにより、原稿台２２の上面に読み取り原稿、例えば見開き状態にされた書籍等を操作者が載置できるようになっている。
【００３９】
原稿読取部２０は、露光ランプやＣＣＤ(Charge Coupled Device)等からなる本発明に係る画像読取部としてのスキャナ部２１と、ガラス等の透明部材により構成された原稿台２２及び原稿読取スリット２３とを備える。
【００４０】
露光ランプは、本発明にかかる光源部の一例を構成するものであり、主走査方向にライン状に配列された、本発明にかかる発光素子としての複数の白色ＬＥＤ（Light Emitting Diode）を用いて構成されている。尚、白色ＬＥＤは、従来から光源に用いられている冷陰極蛍光管等に比して、極めて短時間で点灯及び消灯することができ、さらに、消費電力が低いという利点を有している。
【００４１】
ＣＣＤは、本発明にかかる受光部の一例を構成するものであり、図２（ａ）に示すように、ＲＧＢ３色の各色成分に対応付けられた３種類のラインセンサＳｒ，Ｓｇ，Ｓｂを備えている。
【００４２】
各ラインセンサは、主走査方向のライン状に配列された複数の受光素子ＲＥを備え、副走査方向に所定距離（基準ライン距離）Ｄの幅を有し、それぞれ副走査方向に隣接して並列に配置されている。また、各ラインセンサの表面には、各ラインセンサに対応付けられた色成分の光のみを透過させるためのカラーフィルタが取り付けられている。
【００４３】
各ラインセンサは、受光素子ＲＥの受光面に集光された各ラインセンサに対応付けられた色成分の光を光電変換することにより、原稿におけるＲＧＢ３色の各色成分の主走査方向の１ライン分に応じた画像データを生成する。
【００４４】
このようなスキャナ部２１による原稿読取方法としては、原稿台２２上に載置された原稿を読み取るフラットベッド読取モードと、原稿を原稿給送部２４によって搬送して、その搬送途中で原稿を読み取るＡＤＦ読取モードがある。
【００４５】
フラットベッド読取モードでは、スキャナ部２１は、露光ランプの白色ＬＥＤを点灯して原稿台２２上に載置された原稿を照射し、原稿面から反射される主走査方向１ライン分の反射光をＣＣＤの各ラインセンサで受光して主走査方向１ライン分の画像データを生成する。そして、スキャナ部２１は、図略の駆動部によって副走査方向に移動して、上記と同様に、隣接する次のラインに対応する画像データを生成する。
【００４６】
一方、ＡＤＦ読取モードでは、スキャナ部２１は、原稿読取スリット２３と対向する位置に移動して、原稿給送部２４による原稿の副走査方向への搬送動作と同期して、原稿読取スリット２３を原稿が通過するときに、露光ランプの白色ＬＥＤを点灯して原稿を照射し、原稿面から反射される主走査方向１ライン分の反射光をＣＣＤの各ラインセンサで受光して主走査方向１ライン分の画像データを生成する。そして、原稿が原稿給送部２４によって副走査方向に搬送されることにより、上記と同様に、副走査方向に隣接する次のラインに対応する画像データを生成する。
【００４７】
尚、スキャナ部２１が原稿に対して相対的に副走査方向に移動する際の移動速度である基準移動速度Ｖｂ及び各ラインセンサで原稿の１ライン分を読み取る周期であるライン周期Ｔｂは、基準移動速度Ｖｂ及びライン周期Ｔｂの乗算した結果が、基準ライン距離Ｄに等しくなるように予め定められている。尚、以下の説明においては、特筆しない限り、フラットベッド読取モードによって原稿の読み取りを行うことを前提に説明を行う。
【００４８】
具体的には、例えば、図２（ｂ）に示すように、スキャナ部２１は、原稿に対して基準移動速度Ｖｂで副走査方向に移動しながら、原稿の副走査方向０〜Ｌ１の範囲から反射される反射光を受光して主走査方向１ライン分の画像データを生成すると、更に副走査方向に移動し、副走査方向に隣接して並ぶ原稿の副走査方向Ｌ１〜Ｌ２の範囲に対応する画像データを生成する。
【００４９】
つまり、スキャナ部２１は、図３に示すように、原稿の読み取りを開始してからライン周期Ｔｂが経過するまでの間、白色ＬＥＤを点灯して基準ライン距離Ｄの分だけ副走査方向に移動し、ラインセンサＳｒで原稿の読み取り範囲（図２（ｂ）における原稿の副走査方向０〜Ｌ１の範囲、図３における０〜Ｌ１の網掛部）における反射光に基づいて画像データを生成する。
【００５０】
続いて、スキャナ部２１は、更にライン周期Ｔｂが経過するまでの期間で、ラインセンサＳｇによって当該読み取り範囲（図２（ｂ）における原稿の副走査方向０〜Ｌ１の範囲、図３における０〜Ｌ１の格子部）における反射光に基づいて画像データを生成し、更にライン周期Ｔｂが経過するまでの期間で、ラインセンサＳｂによって当該読み取り範囲（図２（ｂ）における原稿の副走査方向０〜Ｌ１の範囲、図３における０〜Ｌ１の斜線部）における反射光に基づいて画像データを生成する。
【００５１】
そして、スキャナ部２１は、ラインセンサＳｒで生成された１ライン分の画像データをライン周期Ｔｂの２倍の期間遅延させ、ラインセンサＳｇで生成される１ライン分の画像データをライン周期Ｔｂ遅延させて、ラインセンサＳｂで生成される１ライン分の画像データと合成することによって、原稿における同一の範囲を読み取った１ライン分の画像データを生成する。
【００５２】
図４は、複写機１の電気的な構成の一例を示すブロック図である。図４に示すように、複写機１は、ネットワークＩ／Ｆ（インターフェース）部３０、画像データ記憶部４０、ユーザインターフェース部５０、記録部６０、クリーニング部７０及び制御部３３を備えている。
【００５３】
ネットワークＩ／Ｆ部３０は、ＬＡＮ等のネットワークを介して接続されたＰＣ等の情報処理装置（外部装置）との間における種々のデータの送受信を制御するものである。
【００５４】
画像データ記憶部４０は、ネットワークＩ／Ｆ部３０を介してＰＣ等から送信されてきた画像データを一時的に記憶するものである。
【００５５】
ユーザインターフェース部５０は、複写機１のフロント部に設けられ、ユーザによる各種指示入力が行われる入力キーとして機能したり、所定の情報を表示したりするものである。
【００５６】
記録部６０は、本発明に係る動作部の一例を構成するものであり、上記画像形成部２、転写部６１、定着部１６及び給紙部９を備え、画像データ記憶部４０に記憶されるなどした画像データに基づいて用紙に対する画像印刷を行うものである。転写部６１は、上記の中間ベルト１０、駆動ローラ１１〜１３及び２次転写ローラ１４等を備えてなり、中間ベルト１０を介して感光体ドラム３上のトナー像を用紙に転写するものである。
【００５７】
クリーニング部７０は、上記除電クリーニング１８、感光体クリーニング部７等からなるものである。
【００５８】
制御部３３は、各種制御プログラムを記憶するＲＯＭ（Read Only Memory）、データを一時的に保管する機能や作業領域としての機能を有するＲＡＭ（Random Access Memory）、及び上記制御プログラム等をＲＯＭから読み出して実行するマイクロコンピュータなどからなり、上記各機能部に対する各種制御信号の送受信を行い、複写機１全体の動作制御を司るものである。
【００５９】
また、制御部３３は、読取制御部３４と、速度受付部３５と、光源駆動制御部３６と、画像データ合成部３７として機能する。
【００６０】
読取制御部３４は、ユーザインターフェース部５０を介して原稿の読取要求が受け付けられると、上記のように原稿の副走査方向にスキャナ部２１を相対的に移動させながら白色ＬＥＤを点灯させ、画像データをＣＣＤに生成させる原稿読取処理を行うものである。
【００６１】
速度受付部３５は、読取制御部３４による原稿読取処理におけるスキャナ部２１の移動速度を、予め定められた基準移動速度Ｖｂよりも高速な予め定められた高速移動速度Ｖｈに切り替える指示を、ユーザインターフェース部５０等を介して受け付けるものである。
【００６２】
例えば、原稿を通常通りに読み取る場合に比して生成される画像データの画質は低減されるが高速に原稿を読み取ることができる高速読取モードによって原稿読取処理を行わせる指示がユーザインターフェース部５０等を介して入力されると、速度受付部３５は、予め定められた基準移動速度Ｖｂよりも高速な当該高速読取モードに対応する予め定められた高速移動速度Ｖｈに切り替える指示がなされたものとして当該入力を受け付ける。
【００６３】
光源駆動制御部３６は、読取制御部３４による制御の下、スキャナ部２１の白色ＬＥＤの点灯を制御するものである。例えば、光源駆動制御部３６は、読取制御部３４から受信した、白色ＬＥＤを点灯させる期間を示すオン信号と白色ＬＥＤへの電流の供給を停止して白色ＬＥＤを消灯させる時期を示すオフ信号とで構成される駆動信号におけるオン信号の比率（デューティ比）に基づいて白色ＬＥＤの点灯期間を制御し、当該駆動信号の振幅の大きさで示される所定量の電流を白色ＬＥＤに供給して、白色ＬＥＤの点灯光の強度を所定の強度に制御する。
【００６４】
画像データ合成部３７は、上記の通り、原稿読取処理において各ラインセンサで生成されたＲＧＢ３色の各色成分の１ライン分の画像データを合成して、原稿における１ライン分の画像データを生成するものである。
【００６５】
また、読取制御部３４は、速度受付部３５によって高速移動速度Ｖｈに切り替える指示が受け付けられると、高速移動速度Ｖｈを基準移動速度Ｖｂで除算した結果である移動速度比Ｒｖでライン周期Ｔｂを除算して、当該除算した結果を高速読取時点灯周期として定め、原稿読取処理において、ライン周期Ｔｂから高速読取時点灯周期を減算した期間がライン周期Ｔｂにおける開始時点から経過した時点を点灯開始時点として、白色ＬＥＤを当該点灯開始時点から高速読取点灯周期の間、点灯光の強度を通常時に比して移動速度比Ｒｖの分だけ乗算した強度に変更して点灯させる。
【００６６】
これに合わせて、画像データ合成部３７は、速度受付部３５によって高速移動速度Ｖｈに切り替える指示が受け付けられると、原稿読取処理において、移動速度比Ｒｖが１以上であって３未満の場合には、ラインセンサＳｒ，Ｓｇ（図２参照）で生成されたＲＧ２色の色成分の画像データを１ライン分遅延させて、ラインセンサＳｂ（図２参照）で生成された１ライン分の画像データと合成し、移動速度比Ｒｖが３以上の場合には、３種類のラインセンサＳｒ，Ｓｇ，Ｓｂで生成された３色の１ライン分の画像データを何れも遅延させることなく合成する。
【００６７】
つまり、スキャナ部２１及び制御部３３を備えて、本発明に係る画像読取装置の一例が構成されている。
【００６８】
以下では、原稿読取処理の動作について図２、図５及び図６を用いて詳述する。
【００６９】
図６に示すように、原稿読取処理が開始され、速度受付部３５によって基準移動速度Ｖｂの２倍の高速移動速度Ｖｈに切り替える指示が受け付けられると（Ｓ１）、読取制御部３４は、当該高速移動速度Ｖｈを基準移動速度Ｖｂで除算して移動速度比Ｒｖ（＝２）を算出し（Ｓ２）、ライン周期Ｔｂを当該移動速度比Ｒｖ（＝２）で除算して、高速読取時点灯周期Ｔｂ／２を算出する（Ｓ３）。
【００７０】
そして、読取制御部３４は、図５に示すように、ライン周期Ｔｂから高速読取時点灯周期Ｔｂ／２を減算した期間Ｔｂ／２がライン周期Ｔｂにおける開始時点から経過した時点を点灯開始時点として、当該点灯開始時点から高速読取点灯周期Ｔｂ／２の間、点灯光の強度を通常時に比して移動速度比Ｒｖに相当する２倍の強度に変更して、光源駆動制御部３６を介して白色ＬＥＤを点灯させる（Ｓ４）。
【００７１】
次に、画像データ合成部３７は、移動速度比Ｒｖが１以上であって３未満であるため（Ｓ５；ＹＥＳ）、原稿読取処理の開始時点からライン周期Ｔｂが経過した時点において、ラインセンサＳｒで生成された原稿の副走査方向Ｌ１〜Ｌ２の範囲（図２）における反射光のＲ成分に対応する画像データ（図５におけるＲｖ＝２列の網掛部）とラインセンサＳｇで生成された原稿の副走査方向０〜Ｌ１の範囲（図２）における反射光のＧ成分に対応する画像データ（図５におけるＲｖ＝２列の格子部）とを１ライン周期Ｔｂ遅延させるために、当該画像データをＲＡＭに一旦記憶して退避させる（Ｓ６）。
【００７２】
尚、画像データ合成部３７は、原稿読取処理の開始時点からライン周期２Ｔｂが経過した時点において、ラインセンサＳｂで生成された原稿の副走査方向Ｌ１〜Ｌ２の範囲（図２）における反射光のＢ成分に対応する画像データ（図５におけるＲｖ＝２列の斜線部）と、上記のＲＡＭに一旦記憶した原稿の副走査方向Ｌ１〜Ｌ２の範囲の反射光のＲ成分に対応する画像データ及び原稿の副走査方向０〜Ｌ１の範囲の反射光のＧ成分に対応する画像データとを合成して、当該合成された画像データを１番目の原稿の主走査方向１ライン分の画像データとして生成する（Ｓ７）。つまり、原稿の副走査方向０〜Ｌ２の範囲のうち、基準ライン距離Ｄに相当する何れかの範囲における反射光に基づいて、原稿の主走査方向１ライン分の画像データが生成される。
【００７３】
そして、読取制御部３４は、原稿全体に対応する画像データが生成されることによって、原稿の読み取りが完了するまでの間、ステップＳ１で受け付けられた高速移動速度Ｖｈでスキャナ部２１を副走査方向に移動させて、ステップＳ４からステップＳ７の処理を繰り返し実行する（Ｓ８）。
【００７４】
同様にして、速度受付部３５によって基準移動速度Ｖｂの４倍の高速移動速度Ｖｈに切り替える指示が受け付けられた場合（Ｓ１）は、読取制御部３４は、当該高速移動速度Ｖｈを基準移動速度Ｖｂで除算して移動速度比Ｒｖ（＝４）を算出し（Ｓ２）、更に、ライン周期Ｔｂを当該移動速度比Ｒｖ（＝４）で除算して、高速読取時点灯周期Ｔｂ／４を算出する（Ｓ３）。
【００７５】
そして、読取制御部３４は、原稿読取処理において、ライン周期Ｔｂから高速読取時点灯周期Ｔｂ／４を減算した期間３Ｔｂ／４がライン周期Ｔｂにおける開始時点から経過した時点を点灯開始時点として、当該点灯開始時点から高速読取点灯周期Ｔｂ／４の間、点灯光の強度を通常時に比して移動速度比Ｒｖに相当する４倍の強度に変更して、光源駆動制御部３６を介して白色ＬＥＤを点灯させる（Ｓ４）。
【００７６】
この場合、画像データ合成部３７は、移動速度比Ｒｖが３以上であるため（Ｓ５；ＮＯ）、ラインセンサＳｒで生成された原稿の副走査方向Ｌ３〜Ｌ４の範囲（図２）における反射光のＲ成分に対応する画像データ（図５におけるＲｖ＝４列の網掛部）と、ラインセンサＳｇで生成された原稿の副走査方向Ｌ２〜Ｌ３の範囲（図２）における反射光のＧ成分に対応する画像データ（図５におけるＲｖ＝４列の格子部）と、ラインセンサＳｂで生成された原稿の副走査方向Ｌ１〜Ｌ２の範囲（図２）における反射光のＢ成分に対応する画像データ（図５におけるＲｖ＝４列の斜線部）と、を何れも遅延させることなく合成して、当該合成された画像データを１番目の原稿の主走査方向１ライン分の画像データとして生成する（Ｓ７）。つまり、原稿の副走査方向０〜Ｌ４の範囲のうち、基準ライン距離Ｄに相当する何れかの範囲における反射光に基づいて、原稿の主走査方向１ライン分の画像データが生成される。
【００７７】
このように、本構成によれば、ライン周期Ｔｂを変動させることなく、スキャナ部２１の移動速度が基準移動速度Ｖｂよりも移動速度比Ｒｖの倍率で高速に設定され、１ライン分の画像データに対応する原稿における副走査方向の範囲が、スキャナ部２１の移動速度が基準移動速度Ｖｂに設定されている場合に比して、移動速度比Ｒｖの倍率で拡大されると、当該拡大された範囲のうち移動速度比Ｒｖ分の１の範囲（基準ライン距離Ｄに相当する範囲）で平均化された画像データが原稿の主走査方向１ライン分の画像データとして生成され、各ラインセンサで生成される各色成分の画像データに対応する原稿における読取範囲のずれが解消される。
【００７８】
このため、ライン周期Ｔｂが短期間に設定されている場合であっても、例えば、各ラインセンサに対応する色成分の点灯光を発生させるＬＥＤの点灯期間を各ラインセンサ間の副走査方向のずれ幅に応じて調整する等の高度な制御を行うことなく、各ラインセンサで生成される画像データに対応する原稿における読取位置のずれを解消することができる。
【００７９】
また、本構成によれば、ライン周期Ｔｂを変動させることなく、スキャナ部２１を原稿の副走査方向に相対的に移動させる際の移動速度を高速移動速度Ｖｈに調整する場合、露光ランプがライン周期Ｔｂ内に原稿の副走査方向に相対的に移動する距離は移動速度比Ｒｖに応じて増大するが、白色ＬＥＤの点灯期間が移動速度比Ｒｖに応じた高速読取時点灯周期が示す期間に短縮されるとともに、点灯光の強度が移動速度比Ｒｖの分だけ乗算した強度に変更され、各ラインセンサにおける反射光の受光時間と当該反射光の強度の積で示される受光量が移動速度の調整前に比して大きく軽減されることが回避される。
【００８０】
つまり、ライン周期Ｔｂ内に露光ランプから光が照射される原稿における副走査方向の距離（副走査方向幅）が移動速度の調整前に比して等しく維持され、当該副走査方向幅から反射される反射光の受光量が移動速度の調整前に比して大きく軽減されることが回避されるため、当該副走査方向幅分からの反射光が各ラインセンサに入射されて生成される１ライン分の画像データが、移動速度の調整前に比して、画質が劣化することを回避することができる。
【００８１】
尚、上記実施形態では、露光ランプは、複数の白色ＬＥＤを用いて構成されているものとして説明したが、これに限定する趣旨ではなく、ＲＧＢ３色の各色の点灯光を発生させるＬＥＤ、つまり、赤色ＬＥＤ、緑色ＬＥＤ及び青色ＬＥＤの３種類のＬＥＤを用いて構成されていてもよい。そして、これに合わせて、読取制御部２は、原稿読取処理において、当該３種類のＬＥＤを同タイミングで点灯及び消灯するように構成してもよい。
【００８２】
尚、上記の実施形態では、本発明に係る画像形成装置の一例として複写機を例に説明したが、これに限らず、本発明に係る画像読取装置を備えた、スキャナ、ファクシミリ、又は、コピー機能、スキャナ機能、或いはファクシミリ機能等を兼ね備えた複合機等の画像形成装置であっても構わない。
【００８３】
また、本発明は上記の実施形態の構成に限られず種々の変形が可能である。前記図１乃至図６に示した構成及び処理は、本発明に係る実施形態の例示に過ぎず、本発明を前記実施形態に限定する趣旨ではない。
【符号の説明】
【００８４】
１  複写機（画像形成装置）
２１  スキャナ部（画像読取部）
３３  制御部
３４  読取制御部
３５  速度受付部
３７  画像データ合成部
６０  記録部（動作部）
Ｄ  基準ライン距離
Ｒｖ  移動速度比
Ｓｒ，Ｓｇ，Ｓｂ  ラインセンサ
Ｔｂ  ライン周期
Ｖｂ  基準移動速度
Ｖｈ  高速移動速度
【図１】
0005450360.tif 000002
【図２】
0005450360.tif 000003
【図３】
0005450360.tif 000004
【図４】
0005450360.tif 000005
【図５】
0005450360.tif 000006
【図６】
0005450360.tif 000007